(57)【要約】【課題】滅菌対象物を容器内に収容して滅菌する場合に、滅菌対象物を効率的に滅菌することが可能な滅菌装置及び滅菌方法を提供すること。【解決手段】滅菌対象物を収容する容器２０を有し、前記滅菌対象物を前記容器２０内で滅菌する滅菌装置１であって、前記容器２０を支持する支持部材３１、３２と、前記容器２０を振動させる振動源５０と、前記容器２０内において滅菌対象物を滅菌するために蒸気を噴射する蒸気供給手段６０とを備えることを特徴とする。【選択図】図１
2010012046.tif 000002
【特許請求の範囲】
【請求項１】
滅菌対象物を収容する容器を有し、前記容器内で前記滅菌対象物を滅菌する滅菌装置であって、
前記容器を振動させる振動源と、
前記滅菌対象物を滅菌する滅菌手段と、を備えることを特徴とする滅菌装置。
【請求項２】
請求項１に記載の滅菌装置であって、
前記滅菌手段は、
少なくとも前記容器内に蒸気を供給する蒸気供給手段と、前記容器内に滅菌剤を供給する滅菌剤供給手段と、前記容器内に紫外線を照射する紫外線照射手段のいずれかを備えていることを特徴とする滅菌装置。
【請求項３】
請求項２に記載の滅菌装置であって、
前記蒸気供給手段を有し、
前記蒸気供給手段は、蒸気を噴射する蒸気噴射部材であることを特徴とする滅菌装置。
【請求項４】
請求項１から請求項３のいずれか１項に記載の滅菌装置であって、
前記容器内を減圧する容器内減圧手段を備えることを特徴とする滅菌装置。
【請求項５】
請求項１から請求項４のいずれか１項に記載の滅菌装置であって、
前記容器は、両端部が壁部により閉塞され略水平に配置可能とされる筒状体からなり、
前記駆動源は、前記両端部を結ぶ方向に伸びる回転軸を有する振動モータにより構成されることを特徴とする滅菌装置。
【請求項６】
請求項５に記載の滅菌装置であって、
前記筒状体の軸線を水平に対して傾斜させる傾動手段を備えることを特徴とする滅菌装置。
【請求項７】
滅菌対象物を容器に収容して滅菌する滅菌方法であって、
前記容器内に滅菌対象物を収容し、前記容器内に蒸気を供給しながら振動することを特徴とする滅菌方法。
【発明の詳細な説明】
【技術分野】
【０００１】
この発明は、滅菌対象物を容器内で滅菌するための滅菌装置及び滅菌方法に関する。
【背景技術】
【０００２】
周知のように、滅菌対象物を滅菌する場合、容器内に滅菌対象物を収容するとともに、例えば、蒸気等を容器内に供給して、バッチ式又は連続式により滅菌対象物を滅菌することが行われている。（例えば、特許文献１参照）。
このように、蒸気等を用いて滅菌する場合、容器内に収容された滅菌対象物の温度をいかに均一化するかまた処理能力を向上するかが課題として挙げられる。
【０００３】
また、滅菌対象物が、例えば、医療用機器の構成部品であるような場合、滅菌対象物を所定の温度で所定時間加熱して確実に滅菌する必要がある。
【特許文献１】特開平１１−３０９２０１号公報
【発明の開示】
【発明が解決しようとする課題】
【０００４】
しかしながら、容器内に投入された滅菌対象物が容器内の位置によって昇温に要する時間に差異が生じて昇温に斑が生じると、滅菌対象物を所定温度で所定時間加熱するうえで大きな障害となり、滅菌における品質及び効率を向上することが困難となる。
【０００５】
この発明は、このような事情を考慮してなされたもので、滅菌対象物を容器内に収容して滅菌する場合に、滅菌対象物を高品質かつ効率的に滅菌することが可能な滅菌装置及び滅菌方法を提供することを目的とする。
【課題を解決するための手段】
【０００６】
前記目的を達成するために、本発明は以下の手段を提案している。
請求項１に記載の発明は、滅菌対象物を収容する容器を有し、前記容器内で前記滅菌対象物を滅菌する滅菌装置であって、前記容器を振動させる振動源と、前記滅菌対象物を滅菌する滅菌手段と、を備えることを特徴とする。
【０００７】
請求項７に記載の発明は、滅菌対象物を容器に収容して滅菌する滅菌方法であって、前記容器内に滅菌対象物を収容し、前記容器内に蒸気を供給しながら振動することを特徴とする。
【０００８】
この発明に係る滅菌装置及び滅菌方法によれば、滅菌対象物を容器内で振動させるので、滅菌対象物同士間に容易に間隙が形成されるとともに振動による姿勢変化により影部の形成が抑制されて滅菌手段から供給された、例えば、蒸気、滅菌剤を含有した処理液、オゾン、照射紫外線等が滅菌対象物の表面に効率的に接触されて充分に滅菌される。
【０００９】
請求項２に記載の発明は、請求項１に記載の滅菌装置であって、前記滅菌手段は、少なくとも前記容器内に蒸気を供給する蒸気供給手段と、前記容器内に滅菌剤を供給する滅菌剤供給手段と、前記容器内に紫外線を照射する紫外線照射手段のいずれかを備えていることを特徴とする。
【００１０】
この発明に係る滅菌装置によれば、振動により滅菌対象物同士間に間隙を形成させるとともに、少なくとも蒸気供給手段と、滅菌剤を供給する滅菌剤供給手段と、紫外線照射手段のいずれかを用いて滅菌するので、効率的かつ高品質な滅菌を刷ることができる。
【００１１】
請求項３に記載の発明は、請求項２に記載の滅菌装置であって、  前記蒸気供給手段を有し、前記蒸気供給手段は、蒸気を噴射する蒸気噴射部材であることを特徴とする。
【００１２】
この発明に係る滅菌装置によれば、振動により滅菌対象物同士の間に形成された間隙に効率よく蒸気を噴射することができ効率的に滅菌することができる。
【００１３】
請求項４に記載の発明は、請求項１から請求項３のいずれか１項に記載の滅菌装置であって、前記容器内を減圧する容器内減圧手段を備えることを特徴とする。
【００１４】
この発明に係る滅菌装置によれば、例えば、滅菌対象物に微細な凹部や空孔等が形成されている場合であっても、これら凹部や空孔等を効率的に滅菌することができる。
これは、容器内を減圧することにより微細な凹部や空孔等から空気を取り除かれることにより蒸気、滅菌剤を含有した処理液が微細な凹部や空孔等の隅々まで行きわたるとともに、微細な凹部や空孔等に入り込んだ蒸気等が振動により排出されて微細な凹部や空孔への蒸気等の出入りが促進されるためであると考えられる。
また、滅菌後に滅菌対象物を減圧しながら振動させることにより、滅菌対象物を乾燥させることが可能となり、品質及び作業効率を向上させることができる。
【００１５】
請求項５に記載の発明は、請求項１から請求項４のいずれか１項に記載の滅菌装置であって、前記容器は、両端部が壁部により閉塞され略水平に配置可能とされる筒状体からなり、前記駆動源は、前記両端部を結ぶ方向に伸びる回転軸を有する振動モータにより構成されことを特徴とする。
【００１６】
この発明に係る滅菌装置によれば、振動により滅菌対象物が容器を構成している筒状体の内周面に沿う方向に移動する。
その結果、滅菌対象物同士の衝突を抑制しつつ滅菌対象物が充分に攪拌されるので効率的に滅菌することが可能とされる。
【００１７】
請求項６に記載の発明は、請求項５に記載の滅菌装置であって、  前記筒状体の軸線を水平に対して傾斜させる傾動手段を備えることを特徴とする。
【００１８】
この発明に係る滅菌装置によれば、容器を構成する筒状体の軸線を水平に対して傾斜させる傾動手段を備えているので、例えば、傾斜させて滅菌に用いた処理液を排出させることにより容器内に蒸気を供給し、又は滅菌剤を含有した滅菌液を供給しながら効率的に滅菌することができる。また、振動させながら傾斜させることにより容器内の位置によって滅菌対象物に滅菌状態の偏り（斑）が発生することが抑制される。
また、滅菌が終了した後に傾動させた側から滅菌対象物、滅菌剤を排出させるように構成した場合、作業効率を向上することができる。
【発明の効果】
【００１９】
本発明に係る滅菌装置及び滅菌方法によれば、滅菌対象物を収容した容器を振動させながら滅菌するので、滅菌対象物を効率的に滅菌することができる。
その結果、滅菌の品質及び作業効率を向上させることができる。
【発明を実施するための最良の形態】
【００２０】
以下、図１から図６を参照し、この発明の実施の形態について説明する。
図１は、本発明の一実施形態に係る滅菌装置の概略を示す図であり、符号１は滅菌装置を示している。
【００２１】
滅菌装置１は、図１に示すように、滅菌装置架台２と、滅菌対象物Ｗを収容する容器２０と、容器２０を支持する支持部材３１、３２と、容器２０を傾動可能とされる伸縮部材（傾動手段）４０と、容器２０を振動させる振動モータ（振動源）５０と、蒸気噴射部材（蒸気供給手段）６０と、処理液排出手段６５と、滅菌液供給配管７０と、減圧ユニット（容器内減圧手段）７５とを備え、支持部材３１、３２は滅菌装置架台２上に設けられている。
【００２２】
容器２０は、図２、図３に示すように、外形及び内面が略円筒形状の円筒体（筒状体）に形成され、軸線Ｃ方向の一方側に壁部２１Ａを、他方側に壁部２１Ｂを有して円筒体の両端部が閉塞された密閉状態とされ、軸線Ｃを略水平にして設置されている。
【００２３】
容器２０内の下側部分には、複数の貫通孔が形成され滅菌対象物Ｗを安定して保持するとともに滅菌に用いられ凝縮した蒸気等を下方に排出する滅菌対象物保持板２３が略水平に設けられ、容器２０の内周面及び滅菌対象物保持板２３は、例えば、ＳＵＳ３１６Ｌにより形成されていて滅菌において用いられる蒸気、薬剤等によって錆や腐食が発生するのを抑制することが可能とされている。
【００２４】
また、容器２０の上部には、軸線Ｃ方向に並んで開口部２４、２５が形成され、開口部２４、２５には蓋部材２４Ａ、２５Ａが開閉可能に設けられ、蓋部材２４Ａ、２５Ａを閉めることによって開口部２４、２５が密閉されるようになっている。
【００２５】
また、容器２０の外周にはジャケット２６が形成され、容器２０の外周部に形成された図示しない経路からジャケット２６内に温水又は水蒸気等の加熱媒体を流通させることにより滅菌対象物Ｗの温度低下を抑制し、又は冷却水等の冷却媒体を流通させることにより容器２０内を所定の温度に冷却して滅菌剤が温度の影響により化学反応、分解されるのを抑制して滅菌剤の滅菌作用を維持するようになっている。
なお、この実施形態において、ジャケット２６は容器２０の外周に形成されているが壁部２１Ａ、２１Ｂにもジャケットを設けてもよいし、ジャケット２６を備えない構成としてもよい。
【００２６】
また、容器２０の軸線Ｃ方向の一方側の壁部２１Ａには、容器２０の内部と外部とを連通させ、スライドバルブ２８等により開閉可能とされた滅菌対象物排出部２７が壁部２１Ａの下端近傍に形成され、滅菌対象物排出部２７が開口されることによって滅菌対象物Ｗを容器２０の外に排出可能とされている。
【００２７】
滅菌対象物排出部２７の下方には、完成品容器Ａが配置され、滅菌対象物排出部２７は、例えば伸縮可能なジャバラホースにより完成品容器Ａと接続され、滅菌対象物排出部２７から排出された滅菌対象物Ｗが完成品容器Ａに収容されるようになっている。
なお、完成品容器Ａの下方にはタンク２９が設けられ、滅菌剤及び蒸気ドレンを一端受けて滅菌装置１の外に排出させることができるようになっている。
【００２８】
振動モータ５０は、容器２０の外方下側部分に、容器２０の軸線Ｃ方向中央近傍に設けられており、その回転軸に該回転軸の中心から偏心して形成された偏心ウェイトを有し、偏心ウェイトが回転軸とともに回転することにより回転軸と直交する面内に周回振動を発生し、滅菌対象物Ｗが容器２０にて振動して周回するように構成されている。なお、振動モータ５０は、滅菌する滅菌対象物Ｗ及び滅菌手段の種類に合わせて回転数や振動の周波数を適宜設定して駆動されることができる。
【００２９】
支持部材３１、３２は滅菌装置架台２の上部に鉛直方向に立設される同一の長さに調整可能とされる４本の柱部材により構成され、振動モータ５０を挟んで軸線Ｃ方向の両側で容器２０に接続され、軸線Ｃ方向からみた場合に容器２０を左右両側にて下方から支持するようになっている。また、支持部材３１、３２は伸縮して同一の長さに調整することができるようになっている。
【００３０】
支持部材３１は、容器２０の下部に接続される一対の上支持部材３１Ａと、上支持部材３１Ａに対応する下支持部材３１Ｂとを有し、それぞれの上支持部材３１Ａと下支持部材３１Ｂの間には上下方向に伸縮する伸縮部材（傾動手段）４０が設けられており、支持部材３１の伸縮部材４０が収縮すると一方側の壁部２１Ａを下方に、伸縮部材４０が膨張すると他方側の壁部２１Ｂを下方にして容器２０を傾斜することが可能に構成されている。
【００３１】
また、支持部材３２は、支持部材３１と同様に、容器２０の下部に接続される一対の上支持部材３２Ａと、上支持部材３２Ａに対応する下支持部材３２Ｂとを有し、それぞれの上支持部材３２Ａと下支持部材３２Ｂの間には上下方向に伸縮する伸縮部材４０が設けられており、支持部材３２の伸縮部材４０が収縮すると他方側の壁部２１Ｂを下方に、伸縮部材４０が膨張すると一方側の壁部２１Ａを下方にして容器２０を傾斜することが可能に構成されている。
【００３２】
伸縮部材４０は、例えば、図４に示すように、ラバー等の弾性材料からなり内部にエアー等の流体を貯留可能とされるエアー貯留部材４４を有し、貯留するエアー量によって伸縮して上支持部材３１Ａ、３２Ａを上下方向に移動させて容器２０を傾動することができるようになっている。
【００３３】
貯留部材４４は、上部及び下部において貯留部材４４の外周を囲むように環状の押え部材４４Ａが設けられて、上側の押え部材４４Ａは上支持体取付板４５に、下側の押え部材４４Ａは下支持体取付板４６にそれぞれボルト４７により固定されている。
伸縮部材４０は、上支持体取付板４５が上支持部材３１Ａ、３２Ａに、下支持体取付板４６が下支持部材３１Ｂ、３２Ｂにそれぞれボルト４３で固定されることにより、上支持部材３１Ａ、３２Ａと下支持部材３１Ｂ、３２Ｂとを接続するように構成されている。
【００３４】
上支持体取付板４５の略中央部には貫通孔４５Ａが形成されて上支持部材３１Ａ、３２Ａのボルト４１Ａの頭部が挿入され、貫通孔４５Ａの周囲をカバー４５Ｂにより覆うことによりエアー貯留部材４４の内部が貫通孔４５Ａを介して外部と流通するのを抑制してエアー貯留部材４４の内部の気密が保持されている。
【００３５】
また、下支持体取付板４６の略中央部分にはエアー貯留部材４４の内部と下支持部材３１Ｂ、３２Ｂのエアー供給路４２Ａとを連通するエアー供給孔４６Ａが形成されている。
【００３６】
また、上支持体取付板４５と上支持部材３１Ａ、３２Ａの間の外周近傍及び下支持体取付板４６と下支持部材３１Ｂ、３２Ｂの間の外周近傍には環状のパッキン４８が設けられ、伸縮部材４０は下支持部材３１Ｂ、３２Ｂのエアー供給路４２Ａに連通されるとともに、外部空間と気密とされている。
【００３７】
また、それぞれの下支持部材３１Ｂ、３２Ｂのエアー供給路４２Ａには、圧力センサ（図示せず）が配設されておりエアー貯留部材４４内のエアー圧を測定することができるようになっている。
また、伸縮部材４０を構成するエアー貯留部材４４はエアー供給路４２Ａを介して図示しないエアーコンプレッサー等のエアー源に接続され、圧力センサにより検出したエアー圧に基づいて制御部が貯留部材４４へのエアーの供給・排出を制御して容器２０の姿勢を水平状態及び所望の角度に傾斜させることができるようになっている。
【００３８】
蒸気噴射部材６０は、上流側がクリーン蒸気源に接続され容器２０の内部に設けられていて容器２０内に蒸気を噴射することが可能とされている。
また、蒸気噴射部材６０は噴射ノズル６２が、例えば、軸線Ｃの方向に配列されるとともに容器２０内の、滅菌対象物Ｗが振動により弾んで滅菌対象物保持板２３から離間する側の領域の上方に配置されており、滅菌対象物Ｗに蒸気を効率的に噴射するようになっている。
【００３９】
処理液排出手段６５は、処理液排出管６５Ａと、蒸気ドレン管６５Ｂを備えており、滅菌対象物Ｗを滅菌するために容器２０に供給された蒸気ドレン及び滅菌剤を含有した処理液等を容器２０の外に排出可能とされている。
【００４０】
なお、蒸気ドレン管６５Ｂには図示しない温度センサが配置されており、この温度センサにより蒸気ドレン管６５Ｂから排出される蒸気ドレンの温度を検出し、排出される蒸気ドレンの温度が設定温度に到達することで加熱時間のカウントを開始するとともに蒸気ドレンの温度が設定温度以上となるように蒸気の温度制御をすることにより、蒸気で滅菌する場合の加熱時間及び加熱温度を保証するように構成されている。
【００４１】
また、処理液排出手段６５にはバルブ６６Ａが設けられており、このバルブ６６Ａを閉めることにより容器２０内の圧力を所定圧力に保持可能とされている。このバルブ６６Ａは、例えば、容器２０内に設けられた図示しない圧力センサにより開閉制御してもよい。
また、バルブ６６Ａに代えて、又はバルブ６６Ａとともに背圧弁（図示せず）を配置することにより、容器２０内の圧力を所定の圧力に維持する構成としてもよい。
【００４２】
滅菌液供給配管７０は、バルブ７１を介して上流側が、例えば、滅菌剤を溶解した滅菌液タンクＴＡ等に接続されるとともに下流側が蓋部材２４Ａを介して容器２０内に開口しており、バルブ７１を開くことによって容器２０内に滅菌液を供給するようになっている。
滅菌液としては、例えば、過酸化剤、次亜剤、塩素類、ヨウ素類、アルコール類、逆性石鹸、抗生物質、オゾン等を含有させた水溶液等が適用可能とされる。なお、オゾン等、気体の滅菌剤を適用してもよい。
【００４３】
減圧ユニット７５は、例えば、真空ポンプ７６と、ドレンタンク７７と、吸引ホース７８とを備え、吸引ホース７８は上流側がバルブ７９を介して容器２０上部の蓋部材２５Ａを介して容器２０内に接続されている。
ドレンタンク７７は、真空ポンプ７６により吸引された流体（空気、蒸気、滅菌剤ミスト等）が排出されるようになっており、吸引した流体に含まれる水分を空気と分離するとともに凝縮した蒸気をドレンとして排出可能とされている。
【００４４】
次に、滅菌装置１による滅菌対象物Ｗの滅菌について説明する。
１）滅菌にあたっては、それぞれの伸縮部材４０を、例えば、同一圧力に制御することにより容器２０の軸線Ｃを水平にする。
２）次に、図５（Ａ）に示すように開口部２４、２５から滅菌対象物Ｗを投入する。滅菌対象物Ｗを投入したら蓋部材２４Ａ、２５Ａにより開口部２４、２５を閉じて容器２０内を密閉状態とする。
３）次いで、例えば、滅菌対象物Ｗに微細な凹部又は空孔が形成されていて、この凹部又は空孔内に滅菌剤を入り込みやすくする必要がある場合、減圧ユニット７５を駆動して容器２０内を所定圧力まで減圧して凹部、空孔内の空気を取り除く。
４）また、例えば、所定の液位まで滅菌液を貯留して滅菌する必要がある場合には滅菌液供給配管７０から滅菌液を供給してもよい。
５）次に、滅菌可能な状態となったら、蒸気噴射部材６０から、例えば、０．１５ＭＰａ（１２５℃）の蒸気を供給して容器２０内を加圧するとともに加熱する。
６）次いで、振動モータ５０を駆動して、例えば、矢印Ｔ方向に回転軸を回転させて容器２０を振動させる。
このとき、振動モータ５０による振動は、例えば、図５（Ｂ）に示すように滅菌対象物Ｗが滅菌対象物保持板２３の蒸気噴射部材６０の下方で跳ね上がり軸線Ｃを挟んで蒸気噴射部材６０と反対側に周回移動するように振動することが好ましい。
７）滅菌対象物Ｗを滅菌している間に、滅菌液供給配管７０から滅菌液を供給してもよい。
８）蒸気噴射部材６０からの蒸気の噴射は、タイマにより所定時間（例えば、２０分）容器２０内の圧力及び温度を保持するように行なわれる。
９）滅菌に際して、必要に応じて支持部材３１側の伸縮部材４０を膨張させて、図６（Ａ）に示すように容器２０の処理液排出手段６５の側を下方に傾斜するとともにバルブ６６Ａ，６６Ｂ、６６Ｃを開いて滅菌剤排出管６５Ａ、蒸気ドレン管６５Ｂを流通可能として滅菌剤、蒸気ドレンを容器２０の外に排出してもよい。この処理液及び蒸気ドレンの排出は、処理液排出手段６５に配置された図示しない背圧弁を介し、又はバルブ６６Ａ，６６Ｂ、６６Ｃを間欠で開放することにより容器２０内の圧力を維持しながら行なわれる。
１０）滅菌対象物Ｗの滅菌が終了したら、滅菌剤排出管６５Ａ、蒸気ドレン管６５Ｂを開いて、処理液、蒸気ドレンを容器２０の外に排出する。
１１）次いで、壁部２１Ａ側の滅菌対象物排出部２７をスライドバルブ２８のハンドルを回して開口するとともに、支持部材３２側の伸縮部材４０を膨らませて容器２０の軸線Ｃを図６（Ｂ）に示すように傾斜させて容器２０から滅菌対象物Ｗを完成品容器Ａに排出させる。このとき、滅菌対象物Ｗは自重により又は振動を与えて排出させてもよい。
なお、ジャケット２６に温水又は水蒸気等の加熱用熱媒体を流通させて容器２０内の温度の低下を抑制しながら滅菌してもよい。
また、滅菌が完了した後に、減圧ユニット７５により容器２０内を減圧するとともに、振動モータ５０を駆動して容器２０内で滅菌対象物Ｗを乾燥させた後に、滅菌対象物Ｗを容器２０から排出させてもよい。
【００４５】
以上、説明したように、滅菌装置１によれば、容器２０内に収容された滅菌対象物Ｗが振動により容器２０内で充分に攪拌されるので、滅菌対象物Ｗ同士間に隙間が形成されやすく、噴射された蒸気が滅菌対象物Ｗの表面に容易に接触して滅菌対象物Ｗを効率的に滅菌することができる。
また、振動により滅菌対象物Ｗに滅菌における偏りが生じるのを抑制することができる。
その結果、高品質かつ効率的な滅菌を行なうことができる。
【００４６】
また、滅菌装置１によれば、滅菌対象物Ｗが容器２０内を構成する筒体内で同じ方向に向かって攪拌されるので、滅菌時の攪拌抵抗が軽減されて効率的に滅菌することができる。
また、例えば、図５（Ｂ）に示すように滅菌対象物Ｗが滅菌対象物保持板２３の蒸気噴射部材６０の下方で跳ね上がらせ軸線Ｃを挟んで蒸気噴射部材６０と反対側に周回移動するように振動させることにより、蒸気噴射部材６０からの滅菌剤が滅菌対象物保持板２３上の滅菌対象物Ｗが薄く集積される部分に噴射されるので滅菌対象物Ｗを効率的に滅菌することができる。
また、伸縮部材４０を伸縮して容器２０を軸線Ｃ方向のいずれかを下方に傾斜させながら滅菌することにより、容器２０内の位置による滅菌の偏りを抑制することができる。
【００４７】
容器２０を支持する支持部材３１、３２のそれぞれにエアーにより伸縮する伸縮部材４０が設けられているので、容器２０に与えられた振動が床部に伝播するのを減衰されるとともに、支持部材３１、３２への衝撃が緩和されて支持部材３１、３２の破損が防止される。
【００４８】
なお、上記の実施形態において記載した技術的事項については、発明の趣旨を逸脱しない範囲で種々の変更を加えることが可能である。
【００４９】
上記実施の形態においては、容器２０が円筒形状に形成され、略水平方向に配置される場合について説明したが、容器２０の形状については、円筒形状の他、例えば、直方体、球体等、用途に合わせて選択可能であり、容器を配置する姿勢についても自在に設定可能である。
【００５０】
上記実施の形態においては、容器２０に設けられる振動源が、偏心ウェイトが形成された回転軸を有する振動モータ５０により構成され、振動モータ５０が容器２０の外側下方に接続される場合について説明したが、例えば、ボールバイブレータ、ピストンバイブレータ等のエアバイブレータ、その他振動モータ５０以外の周知の振動発生源を用いて振動を発生する構成としてもよいし、容器２０への振動源の接続方法、接続位置については自在に選択可能である。
【００５１】
また、上記実施の形態においては、振動モータ５０の回転軸を容器２０の軸線Ｃに沿う方向に配置して振動させる場合について説明したが、例えば、回転軸を容器２０の両端部を結ぶ方向に容器２０の軸線Ｃと交差するような方向に配置してもよいし、それ以外の方向に回転軸を配置して振動を発生する構成としてもよい。
【００５２】
また、上記実施の形態においては、蒸気供給手段が蒸気噴射部材６０により構成される場合について説明したが、例えば、蒸気噴射部材６０に代えて、又は蒸気噴射部材６０とともに容器２０内に蒸気を供給する蒸気供給配管を備える構成としてもよい。
【００５３】
また、上記実施の形態においては、滅菌剤供給手段が滅菌液供給配管７０である場合について説明したが、滅菌剤供給手段を備えない構成としてもよいし、滅菌液供給配管７０に代えて、又は滅菌液供給配管７０とともに容器２０内に滅菌液を噴射する滅菌液噴射部材を備える構成としてもよい。
【００５４】
また、上記実施の形態においては、滅菌装置１が滅菌手段として滅菌剤供給手段を備え、滅菌剤供給手段が、滅菌剤を含有した滅菌液を容器２０内に供給する滅菌液供給配管７０である場合について説明したが、滅菌剤供給手段を備えない構成としてもよいし、滅菌液供給配管７０に代えて、又は滅菌液供給配管７０とともに容器２０内に滅菌液を噴射する滅菌液噴射部材を備える構成としてもよい。
【００５５】
また、滅菌手段として、滅菌剤供給手段に代えて、又は滅菌剤供給手段とともに、例えば、紫外線等照射により滅菌する滅菌ランプ等の紫外線照射手段を用いてもよい。
【００５６】
また、蒸気噴射部材６０等の蒸気供給手段、滅菌液供給配管７０等の滅菌剤供給手段、減圧ユニット７５による容器２０内の減圧、処理液排出手段６５の作動、ジャケット２６への熱媒体の供給に関しては、それらの作動、及び作動させる場合にはそのタイミングを滅菌作用に対応させて自在に設定することができる。また、容器２０の傾動実施の有無及び傾動タイミングを自在に設定することができる。
【００５７】
また、上記実施の形態においては、容器２０の軸線Ｃが傾斜可能に構成される場合について説明したが容器２０を傾動させない構成としてもよい。
また、上記実施の形態においては、傾動手段がエアー貯留部材４４により伸縮可能とされる伸縮部材４０とされ、これらが支持部材３１、３２の各々に設けられて容器２０を傾斜する場合について説明したが、支持部材３１、３２のいずれか一方のみに伸縮部材４０を設けて容器２０の所望の側を下方に傾斜する構成としてもよい。
【００５８】
また、上記実施の形態においては、制御部が圧力センサにより検出した圧力に基づいてエアー供給・排出手段を作動させて伸縮部材４０のエアー圧を制御する場合について説明したが、例えば、圧力センサを備えない構成としてもよいし、圧力センサ及び制御部による制御に代えて、圧力センサの測定値を所望の圧力値とするように手動でエアーを供給・排出させてもよいし、圧力センサの代わりに光センサやリミットスイッチ等のセンサを用いて、容器２０の傾斜状態を検出する構成としてもよい。
【００５９】
また、上記実施の形態においては、伸縮部材４０へのエアーの供給及び排出を、エアー供給路４２Ａを経由してエアー供給・排出手段を用いて行う場合について説明したが、伸縮部材４０を制御しない構成としてもよいし、エアーの供給経路及び排出経路とを各々別々の経路として構成してもよい。
【００６０】
また、支持部材３１、３２にエアー貯留部材４４を配置するのに代えて、例えばエアシリンダ、油圧シリンダ、モータ、電動アクチュエータ等の駆動源、又はこれらとリンク等を組み合わせた構成の傾動手段を用いてもよいし、かかる場合に支持部材３１、３２以外の部位に接続してもよい。
【００６１】
また、上記実施の形態においては、容器２０及び容器２０内に配置される滅菌対象物保持板２３等がＳＵＳ３１６Ｌにより形成される場合について説明したが、例えば、ＳＵＳ３０４等、滅菌に耐えられる周知の材料を適用可能なことはいうまでもない。
【図面の簡単な説明】
【００６２】
【図１】本発明の一実施形態に係る滅菌装置の概略構成を示す図である。
【図２】本発明の一実施形態に係る滅菌装置の容器を側面視した縦断面図である。
【図３】本発明の一実施形態に係る滅菌装置を軸線方向から見た縦断面図である。
【図４】本発明の一実施形態に係る滅菌装置の伸縮部部材の詳細を示す図である。
【図５】本発明の一実施形態に係る滅菌装置の作用を説明するための軸線方向から見た容器の縦断面図であり、（Ａ）は滅菌装置が静止している状態を、（Ｂ）は滅菌装置が振動している状態を示す図である。
【図６】本発明の一実施形態に係る滅菌装置の作用を説明する概略側面図であり、（Ａ）は振動している状態を、（Ｂ）は滅菌が完了して滅菌対象物排出部側を下方に傾動した状態を示す図である。
【符号の説明】
【００６３】
Ｃ  容器の軸線
１  滅菌装置
２０  容器
２１Ａ、２１Ｂ  壁部
３０、３１、３２  支持部材
４０  伸縮部材（傾動手段）
５０  振動モータ（振動源）
６０  蒸気噴射部材（蒸気供給手段）
６５  処理液排出手段
６５Ａ  処理液排出管（処理液排出手段）
７０  滅菌液供給配管（滅菌剤供給手段）
７５  減圧ユニット（容器内減圧手段）
【図１】
2010012046.tif 000003
【図２】
2010012046.tif 000004
【図３】
2010012046.tif 000005
【図４】
2010012046.tif 000006
【図５】
2010012046.tif 000007
【図６】
2010012046.tif 000008